(57)【特許請求の範囲】
【請求項１】
それぞれ面状発熱体を備えた４つの方形状加熱壁体を互いに折曲可能に一列状に連設してなる角筒状加熱室形成ユニットと、このユニットを折曲して角筒状加熱室を形成する時に加熱壁体相互を直角に保持するように前記ユニットの各コーナー部に取り付けられるコーナー保持具と、角筒状加熱室形成時に前記ユニットの両端側加熱壁体相互を連結するための連結手段とからなり、コーナー保持具は、基台部から前記ユニットのコーナー部の内隅部に沿うように延びる内隅部支持片と外隅部に沿うように延びる外隅部支持片とを突設すると共に、内隅部支持片を外隅部支持片よりも下方へ長く延設し、これら基台部、内外両隅部支持片間にはコーナー部に嵌合される嵌合保持部を形成してなるもので、基台部と内隅部支持片とは樹脂で一体成形し、外隅部支持片はアルミ板材で形成して基台部に取り付けてなることを特徴とする手足の温熱治療装置。
【請求項２】
それぞれ面状発熱体を備えた４つの方形状加熱壁体を互いに折曲可能に一列状に連設してなる角筒状加熱室形成ユニットと、面状発熱体を備え、前記ユニットを折曲して形成される角筒状加熱室の底部に配置される手足載置用加熱壁体と、角筒状加熱室形成時に加熱壁体相互を直角に保持するように前記ユニットの各コーナー部に取り付けられるコーナー保持具と、角筒状加熱室形成時に前記ユニットの両端側加熱壁体相互を連結するための連結手段とからなり、コーナー保持具は、基台部から前記ユニットのコーナー部の内隅部に沿うように延びる内隅部支持片と外隅部に沿うように延びる外隅部支持片とを突設すると共に、内隅部支持片を外隅部支持片よりも下方へ長く延設し、これら基台部、内外両隅部支持片間にはコーナー部に嵌合される嵌合保持部を形成してなるもので、基台部と内隅部支持片とは樹脂で一体成形し、外隅部支持片はアルミ板材で形成して基台部に取り付けてなることを特徴とする手足の温熱治療装置。
【請求項３】
前記各面状発熱体は遠赤外線を放射するものからなることを特徴とする請求項１又は２に記載の手足の温熱治療装置。
【請求項４】
前記加熱室形成ユニットの各加熱壁体は、断熱板と、この断熱板の内面側に配設される面状発熱体と、この面状発熱体の内面側に配設される補強板と、これらを覆う布材とからなることを特徴とする請求項１〜３の何れかに記載の手足の温熱治療装置。
【請求項５】
前記手足載置用加熱壁体は、断熱板と、この断熱板の上面側に配設される面状発熱体と、この面状発熱体の上面側に配設される補強板と、これらを内外両面から覆う布材とからなることを特徴とする請求項２〜４の何れかに記載の手足の温熱治療装置。
【請求項６】
前記加熱室形成ユニットの４つの加熱壁体にそれぞれ設けられる面状発熱体のうち、角筒状加熱室内で対向する２つの面状発熱体は常時通電可能に接続配線され、他の２つの面状発熱体は開閉スイッチを介して切替え可能に接続配線されていることを特徴とする請求項１〜５の何れかに記載の手足の温熱治療装置。
【発明の詳細な説明】
【０００１】
【発明の属する技術分野】
本発明は、足の指、甲、踵、足首、関節、ふくら脛等、あるいは手の指、その関節等に疾患がある場合にその患部を加温し、また手や足の切断手術箇所等を加温して、温熱治療するのに使用される装置に関するものである。
【０００２】
【従来の技術及びその課題】
従来、手や足の患部を温熱治療する場合には、布等を湯で湿して患部に当てる温熱湿布が広く使用されているが、これは、湿布の温度が短時間で下がるため、頻繁に湿布の取り替えを行わねばならず、非常に手間がかり、面倒である。また、温熱治療設備として、温水槽やサウナバス等が知られているが、これらは、全身を温めるため、体力の消耗が比較的激しく、長い時間継続して使用できず、しかも衣服を脱いでの使用となるため、非常に面倒であり、手足の温熱治療装置としては好ましくなかった。
【０００３】
本発明は、手や足の患部を集中的に効率よく温熱治療を行えると共に、簡単に組み立てることができて手軽に使用でき、またコンパクトに折り畳みできて収納保管及び搬送にきわめて便利であり、更に安価に製作できる手足の温熱治療装置を提供することを目的とする。
【０００４】
【課題を解決するための手段】
請求項１に係る発明の手足の温熱治療装置は、それぞれ面状発熱体１ａ，１ｂ，１ｃ，１ｄを備えた４つの方形状加熱壁体２ａ，２ｂ，２ｃ，２ｄを互いに折曲可能に一列状に連設してなる角筒状加熱室形成ユニット２と、このユニット２を折曲して角筒状加熱室４を形成する時に加熱壁体２ａ，２ｂ，２ｃ，２ｄ相互を直角に保持するように前記ユニット２の各コーナー部Ｋに取り付けられるコーナー保持具２６と、角筒状加熱室形成時に前記ユニット２の両端側加熱壁体２ａ，２ｄ相互を連結するための連結手段６とからなり、コーナー保持具２６は、基台部２７から前記ユニット２のコーナー部Ｋの内隅部に沿うように延びる内隅部支持片２８と外隅部に沿うように延びる外隅部支持片２９とを突設すると共に、内隅部支持片を外隅部支持片よりも下方へ長く延設し、これら基台部２７、内外両隅部支持片２８，２９間にはコーナー部Ｋに嵌合される嵌合保持部３０を形成してなるもので、基台部と内隅部支持片とは樹脂で一体成形し、外隅部支持片はアルミ板材で形成して基台部に取り付けてなることを特徴とする。
【０００５】
請求項２に係る発明の手足の温熱治療装置は、それぞれ面状発熱体１ａ，１ｂ，１ｃ，１ｄを備えた４つの方形状加熱壁体２ａ，２ｂ，２ｃ，２ｄを互いに折曲可能に一列状に連設してなる角筒状加熱室形成ユニット２と、面状発熱体３を備え、前記ユニット２を折曲して形成される角筒状加熱室４の底部に配置される手足載置用加熱壁体５と、角筒状加熱室形成時に加熱壁体２ａ，２ｂ，２ｃ，２ｄ相互を直角に保持するように前記ユニット２の各コーナー部Ｋに取り付けられるコーナー保持具２６と、角筒状加熱室形成時に前記ユニット２の両端側加熱壁体２ａ，２ｄ相互を連結するための連結手段６とからなり、コーナー保持具２６は、基台部２７から前記ユニット２のコーナー部Ｋの内隅部に沿うように延びる内隅部支持片２８と外隅部に沿うように延びる外隅部支持片２９とを突設すると共に、内隅部支持片を外隅部支持片よりも下方へ十分に長く延設し、これら基台部２７、内外両隅部支持片２８，２９間にはコーナー部Ｋに嵌合される嵌合保持部３０を形成してなるもので、基台部と内隅部支持片とを樹脂で一体成形し、外隅部支持片はアルミ板材で形成して基台部に取り付けてなることを特徴とする。
【０００６】
請求項３は、請求項１又は２に記載の手足の温熱治療装置において、前記各面状発熱体１ａ，１ｂ，１ｃ，１ｄ，３は遠赤外線を放射するものからなることを特徴とする。
【０００７】
請求項４は、請求項１〜３の何れかに記載の手足の温熱治療装置において、前記加熱室形成ユニット２の各加熱壁体２ａ，２ｂ，２ｃ，２ｄは、断熱板８と、この断熱板８の内面側に配設される面状発熱体１ａ，１ｂ，１ｃ，１ｄと、この面状発熱体の内面側に配設される補強板７と、これらを覆う布材９，１０とからなることを特徴とする。
【０００８】
請求項５は、請求項２〜４の何れかに記載の手足の温熱治療装置において、前記手足載置用加熱壁体５は、断熱板１４と、この断熱板１４の上面側に配設される面状発熱体３と、この面状発熱体３の上面側に配設される補強板１３と、これらを内外両面から覆う布材１５とからなることを特徴とする。
【０００９】
請求項６は、請求項１〜５の何れかに記載の手足の温熱治療装置において、前記加熱室形成ユニット２の４つの加熱壁体２ａ，２ｂ，２ｃ，２ｄにそれぞれ設けられる面状発熱体１ａ，１ｂ，１ｃ，１ｄのうち、角筒状加熱室４内で対向する２つの面状発熱体１ｂ，１ｄは常時通電可能に接続配線され、他の２つの面状発熱体１ａ，１ｃは開閉スイッチ２５ａ，２５ｃを介して切替え可能に接続配線されていることを特徴とする。
【００１０】
【発明の実施の形態】
図１は本発明に係る手足の温熱治療装置の使用状態を示し、図２は図１に示す温熱治療装置の平面図、図３はその右半分が側面図、左半分が縦断面図である。この温熱治療装置は、それぞれ面状発熱体１ａ，１ｂ，１ｃ，１ｄを備えた４つの横長矩形状加熱壁体２ａ，２ｂ，２ｃ，２ｄを互いに折曲可能に一列状に連設してなる角筒状加熱室形成ユニット２と、前記面状発熱体１ａ，１ｂ，１ｃ，１ｄと同様な面状発熱体３を備え、前記各加熱壁体２ａ，２ｂ，２ｃ，２ｄ相互を折曲して形成される角筒状加熱室４の底部に配置される手足載置用加熱壁体５と、角筒状加熱室４の形成時に加熱壁体２ａ，２ｂ，２ｃ，２ｄ相互を直角に保持するように前記ユニット２の各コーナー部Ｋに取り付けられるコーナー保持具２６と、角筒状加熱室４の形成時に前記ユニット２の一端側加熱壁体２ａと他端側の加熱壁体２ｄとを連結するための連結手段６とからなる。尚、図１〜図３において１６は、角筒状に形成されたユニット２及び手足載置用加熱壁体５が載置される床用マットである。
【００１１】
角筒状加熱室形成ユニット２の各加熱壁体２ａ，２ｂ，２ｃ，２ｄは、それぞれ同じ構造のもので、図５の（Ａ）に示すように、角筒状加熱室４の室外側に位置するように配置される断熱板８と、この断熱板８の内面側に取り付けられた面状発熱体１ａ，１ｂ，１ｃ，１ｄと、この面状発熱体の内面側に取り付けられた補強板７と、これら補強板７、断熱板８及び面状発熱体１ａ〜１ｄを内外両面から覆うような袋状の内布材９及び外布材１０とによって構成される。補強板７はポリカーボネート板やベニヤ合板によって形成され、断熱板８は硬質ウレタンフォームによって形成され、また内布９材及び外布材１０はポリエステル繊維の織物によって形成される。各加熱壁体２ａ，２ｂ，２ｃ，２ｄ相互の連結部分１２は、内布材９と外布材１０とを縫着することによって折曲可能に形成される。
【００１２】
この加熱室形成ユニット２を製作するにあたっては、例えば、上記ポリエステル繊維製の布材を、各加熱壁体２ａ，２ｂ，２ｃ，２ｄの高さ寸法よりも適当に長い幅と、各加熱壁体の長さの約８倍程度の長さを有する帯状に形成し、この帯状布材を長手方向中間部で２つに折り、この２つ折り布材の一側縁部を縫合すると共に、折り側端部と反対側の端部を縫合し、更にこの２つ折り布材を加熱壁体の長さ寸法ごとに縫合して前記連結部分１２をそれぞれ形成し、斯くして袋状に形成される各内外布材９，１０内に断熱板８、面状発熱体１ａ〜１ｄ及び補強板７を挿入し、そのあと上記２つ折り布材の他側縁部を縫合すればよい。
【００１３】
前記角筒状加熱室形成ユニット２の一端側加熱壁体２ａと他端側加熱壁体２ｄとを連結するための連結具６は、図４の（Ａ）及び（Ｂ）に示すように、一端側加熱壁体２ａの端部に突設した取付部片２ａｏの例えば裏面側に取り付けられた係止布６ａと、他端側加熱壁体２ｄの端部表面側に取り付けられた被係止布６ｂとからなり、この係止布６ａ及び被係止布６ｂは、商品名「マジックテープ」等として知られているものである。
【００１４】
前記手足載置用加熱壁体５は、図５の（Ｂ）に示すように、断熱板１４と、この断熱板１４の上面側に取り付けられた面状発熱体３と、この面状発熱体３の上面側に取り付けられた補強板１３と、これら断熱板１４、面状発熱体３及び補強板１３を内外両面から覆う袋状の布材１５とからなるもので、補強板１３はポリカーボネート板やベニヤ合板によって形成され、断熱板１４は硬質ウレタンフォームによって形成され、布材１５はポリエステル繊維の織物によって形成される。また、床用マット１６は、図５の（Ｃ）に示すように、軟質ウレタンフォームからなるマット本体部１６ａをビニールシート材からなるカバー１６ｂで覆ったものである。
【００１５】
この手足載置用加熱壁体５は、図１に示すように、角筒状加熱室４の対向する２つの方形状加熱壁体２ｂ，２ｄ又は２ａ，２ｃの内面間距離と略同一の長さＬと、この長さＬより短くて足の長さＦよりは若干長くなるような幅Ｗとを有する矩形状に形成されたもので、図示のように使用者の両足を当該加熱壁体５上にその長手方向と直交方向に載せた状態で使用される。このような矩形状とするのは、手足載置用加熱壁体５には足又は手を載せるだけであるため足や手が載置できる程度の大きさであればよいからである。従って、上記のような長さＬと幅Ｗとを有する矩形状に形成することによって、加熱壁体５の大きさを極力小さくできて、製作コストを低く抑えることができる。
【００１６】
前記角筒状加熱室形成ユニット２の面状発熱体１ａ〜１ｄと手足載置用加熱壁体５の面状発熱体３とは同じ構造のもので、この面状発熱体１ａ〜１ｄ，３としては、遠赤外線を放射するものが使用される。例えば、ガラス繊維強化エポキシ樹脂に炭素粉末を塗布して所要の電気抵抗を有する抵抗膜を形成し、この抵抗膜を複数層状に重ね合わせて、その両端部に電極を配設し、両電極間に電気を流すようにしたものが、各壁体の全面を均一に加熱できると共に、遠赤外線を放射するので好ましい。
【００１７】
図６の（Ａ）は図１のように使用されるコーナー保持具２６の外観を示す斜視図、同図（Ｂ）は平面図、同図（Ｃ）は側面図、同図（Ｄ）は底面図である。これらの図から分かるように、このコーナー保持具２６は、平面視略六角形の基台部２７を有し、この基台部２７からは、角筒状に形成される前記ユニット２のコーナー部Ｋの内隅部に沿うように延びる横断面山形状の内隅部支持片２８と、前記コーナー部Ｋの外隅部に沿うように延びる外隅部支持片２９，２９とが突設され、これら基台部２７と内隅部支持片２８と外隅部支持片２９，２９との間に、前記コーナー部Ｋに嵌合される溝状の嵌合保持部３０が形成されている。この嵌合保持部３０の溝幅は前記各加熱壁体２ａ，２ｂ，２ｃ，２ｄの厚みとほぼ同じ寸法に形成される。また、内隅部支持片２８には図示のように三角形状の補強部片３１が複数段に設けてある。
【００１８】
このコーナー保持具２６の製作にあたっては、基台部２７及び内隅部支持片２８がＡＢＳ樹脂やポリカーボネート等によって一体に成形され、外隅部支持片２９はアルミニウム板材によってアングル片状に形成され、このアルミ製外隅部支持片２９の取付部片２９ａが基台部２７の下面部にボルト３２及びナット３３で固定されるようになっている。このコーナー保持具２６の使用に際しては、図１に示すように角筒状に形成されるユニット２のコーナー部Ｋに対しその上方から嵌合するだけでよい。
【００１９】
図７は角筒状加熱室形成ユニット２の電気回路図を示し、図８は手足載置用加熱壁体５の電気回路図を示す。ユニット２の面状発熱体１ａ，１ｂ，１ｃ，１ｄ及び手足載置用加熱壁体５の面状発熱体３は、それぞれ温度調節装置１７により温度制御される。図７に示す角筒状加熱室形成ユニット２側の温度調節装置１７は、面状発熱体１ａ，１ｂ，１ｃ，１ｄにトライアック１８を接続し、そのトリガー回路に感熱性サイリスタ１９を接続し、その作動温度を任意に設定する可変抵抗器２０を設けたものである。感熱性サイリスタ１９は面状発熱体１ａ，１ｂ，１ｃ，１ｄの適所に取付けられ、これにより面状発熱体１ａ，１ｂ，１ｃ，１ｄが所定温度に達したときに、感熱性サイリスタ１９の動作によりトライアック１８が遮断状態となる。
【００２０】
また、トライアック１８と並列に半波整流素子２１が接続され、トライアック１８が遮断された後にも半減した電流が流れるように構成され、これによって温度が徐々に降下するように成されている。かくして、トライアック１８が遮断した後も通電により面状発熱体１ａ，１ｂ，１ｃ，１ｄが相当高い（室温よりも高い温度）を維持し、従って遠赤外線が継続して発せられる。また、半波整流素子２１に直列に副温度制御部材２２接続され、夏期等において半減された電流によっても昇温する場合に電流を遮断するように成されている。そのため、この副温度制御部材２２としては感熱性サイリスタよりも高温にて開路されるバイメタル等が用いられる。
【００２１】
図７において、２３は安全用温度ヒューズ、２４は可変抵抗器２０の操作ダイヤルであり、また２５ａ，２５ｂ，２５ｃ，２５ｄは、面状発熱体１ａ，１ｂ，１ｃ，１ｄに対応して設けられた開閉スイッチで、このスイッチ２５ａ〜２５ｄによって、面状発熱体１ａ〜１ｄのうち必要とするものだけを発熱させることができる。また図７において、３４は角筒状加熱室形成ユニット２の電源接続用プラグで、図２にも図示されている。尚、手足載置用加熱壁体５側の温度調節装置１７は、図８に示すように、上記角筒状加熱室形成ユニット２側の１７と全く同じである。この図８において、３５は手足載置用加熱壁体５の電源接続用プラグで、図２にも図示されている。
【００２２】
上述したような構成を有する温熱治療装置の使用に際しては、図１及び図２に示すように、先ず、角筒状加熱室形成ユニット２の加熱壁体２ａ，２ｂ，２ｃ，２ｄ相互を直角に折り曲げて角筒状の加熱室４を形成し、そしてこのユニット２の各コーナー部Ｋにその上方からコーナー保持具２６を嵌合することによって、加熱壁体２ａ，２ｂ，２ｃ，２ｄ相互を直角に保持する。また、ユニット２の一端側加熱壁体２ａと他端側の加熱壁体２ｄとを連結手段６、即ち係止部６ａと被係止部６ｂとよって連結する。
【００２３】
上記のようにコーナー保持具２６により加熱壁体２ａ，２ｂ，２ｃ，２ｄ相互を直角に保持した角筒状加熱室形成ユニット２を床用マット１６上に載置し、このユニット２により形成された加熱室４の底部に手足載置用加熱壁体５を配置し、そして電源用プラグ３４，３５を一般電源のコンセント又は専用コントローラーの差し込み口（図示省略）に差し込む。しかして、この状態で角筒状加熱室形成ユニット２の加熱壁体２ａ，２ｂ，２ｃ，２ｄ及び手足載置用加熱壁体５をそれぞれ所定温度に加熱し、例えば図１に示すように患者の足を角筒状加熱室４内に入れて手足載置用加熱壁体５上に載せる。
【００２４】
この場合、図７に示す面状発熱体３の開閉スイッチ２５ａ〜２５ｄを全て閉じると、角筒状加熱室４内では、４つの加熱壁体２ａ〜２ｄの面状発熱体１ａ〜１ｄによって熱が放射されるため、その四方からの熱と手足載置用加熱壁体５の面状発熱体３から放射される熱によって、患者の足のふくら脛部分から爪先に至る下足部全体を十分且つ効果的に温めることができる。その加熱温度は、角筒状加熱室形成ユニット２及び手足載置用加熱壁体５にそれぞれ設けられた前記温度調節装置１７により所望に設定することができる。また、各面状発熱体１ａ〜１ｄ，３が遠赤外線を放射するので、加熱室４の両端が開放していても、この加熱室４内に入れた足の患部を効果的に温めることができ、十分な温熱効果を発揮させることができる。
【００２５】
冬場のように外気温が低いときは、面状発熱体１ａ〜１ｄの開閉スイッチ２５ａ〜２５ｄを全て閉じて４つの加熱壁体２ａ〜２ｄの四方から熱が放射されるようにするが、夏場のように外気温が低いときは、開閉スイッチ２５ｂ，２５ｄ又は２５ａ，２５ｃのみを閉じて、角筒状加熱室４の対向する何れか一組の加熱壁体２ｂ，２ｄ又は２ａ，２ｃからのみ熱が放射されるようにするとよい。また、開閉スイッチ２５ａ〜２５ｄの選択操作によって、４つの加熱壁体２ａ〜２ｄのうちの何れか１つ又は３つを熱放射させるようにしてもよい。何れの場合も、手足載置用加熱壁体５からは常に熱が放射されるようにする。
【００２６】
図９は、図７と同様な角筒状加熱室形成ユニット２の電気回路図を示したものであるが、特にこれは、角筒状加熱室４内で対向する２つの面状発熱体１ｂ，１ｄを常時通電可能な状態に接続配線し、他の２つの面状発熱体１ａ，１ｃをそれぞれ開閉スイッチ２５ａ，２５ｃによって適宜に開閉できるように接続配線したものである。このような角筒状加熱室形成ユニット２と手足載置用加熱壁体５とを備えた温熱治療装置の使用において、角筒状加熱室４の全ての加熱壁体２ａ，２ｂ，２ｃ，２ｄから熱放射を行うようにするときは、開閉スイッチ２５ａ，２５ｃを閉じればよい。
【００２７】
そして、角筒状加熱室４の対向する２つの加熱壁体２ｂ，２ｄからのみ熱が放射されるようにするときは、図９に示すように開閉スイッチ２５ａ，２５ｃを開放させて、加熱壁体２ａ，２ｃを非加熱状態とする。この際、手足載置用加熱壁体５は、図１及び図２に示すように、この加熱壁体５の長手方向とユニット２側加熱壁体２ｂ，２ｄの長手方向とが平行するように配置し、しかしてこの手足載置用加熱壁体５上に患者の足を図示のように載せることにより、その足を加熱壁体５によって下側から加温すると共に、その前後から加熱壁体２ｂ，２ｄによって加温することができる。
【００２８】
また、上記患者の足を、下側からとその左右両側とからのみ加温したい場合には、図９に示す開閉スイッチ２５ａ，２５ｃを開放させて加熱壁体２ａ，２ｃを上記の場合と同じく非加熱状態とし、そして手足載置用加熱壁体５を加熱室４から一旦引き上げて９０度回転させた状態で再び加熱室４内に挿入し、この手足載置用加熱壁体５の長手方向とユニット２側加熱壁体２ａ，２ｃの長手方向とが平行するように配置すればよい。こうすることにより、患者の足を、手足載置用加熱壁体５と、足の左右両側に対向位置する加熱壁体２ｂ，２ｄとから放射される熱によって加温することができる。
【００２９】
上述したような温熱治療装置によれば、足の患部を集中的に効率良く加温して温熱治療を施すことができる。また、この温熱治療装置は、加熱室形成ユニット２と手足載置用加熱壁体５とからなるもので、このユニット２の加熱壁体２ａ，２ｂ，２ｃ，２ｄ相互を折曲するだけで角筒状加熱室４を簡単に形成できると共に、コーナー保持具２６をユニット２の各コーナー部Ｋにその上方から嵌合させるだけで、ユニット２の加熱壁体２ａ，２ｂ，２ｃ，２ｄ相互を直角に保持して、角筒状加熱室４の形状を固定化することができる。また、連結手段６によって、加熱室形成ユニット２の両端側加熱壁体２ａ，２ｄを容易に連結することができる。
【００３０】
また、加熱室形成ユニット２は、図示は省略するが、４つの加熱壁体２ａ，２ｂ，２ｃ，２ｄを互いにジグザグに折り曲げることによって扁平板状にコンパクトに折り畳むことができ、手足載置用加熱壁体５と共に、収納保管及び搬送に非常に便利となる。また、この温熱治療装置は、構造が簡単で、安価に製作できるものである。尚、この温熱治療装置は、足だけでなく、手を角筒状加熱室４内に入れて加温し、手の患部を温熱治療することができる。
【００３１】
以上説明した温熱治療装置は、角筒状加熱室形成ユニット２と手足載置用加熱壁体５とからなるものであるが、本発明に係る温熱治療装置は、手足載置用加熱壁体５を省いて、角筒状加熱室形成ユニット２のみによって構成することができる。この角筒状加熱室形成ユニット２のみからなる温熱治療装置の使用にあたっては、図示は省略するが、角筒状加熱室形成ユニット２の加熱壁体２ａ，２ｂ，２ｃ，２ｄ相互を折曲して角筒状の加熱室４を形成すると共に、コーナー保持具２６をユニット２の各コーナー部Ｋに嵌合させて、加熱壁体２ａ，２ｂ，２ｃ，２ｄ相互を直角に保持し、この角筒状ユニット２をその開口部が横向きの状態で例えばテーブル上に設置し、しかしてその角筒状加熱室４内に患者の手を挿入する。各加熱壁体２ａ，２ｂ，２ｃ，２ｄの加熱方法については、前述した温熱治療装置の場合と同様である。
【００３２】
この場合、上記角筒状ユニット２をその開口部が横向きの状態で例えば床の上に載置し、患者が床上に腰を下ろした状態で足のユニット２の角筒状加熱室４内に挿入して、温熱治療を行うようにすることもできる。
【００３３】
【発明の効果】
請求項１に係る発明の温熱治療装置は、角筒状加熱室形成ユニットからなるもので、このユニットの加熱壁体を互いに折り曲げて角筒状加熱室を形成し、連結手段で両端側の加熱壁体を連結することによって、簡単容易に温熱治療装置を組み立てることができる。しかもこの際、コーナー保持具を上記ユニットの各コーナー部に取り付けることにより、このユニットの加熱壁体相互を直角に保持できるから、角筒状加熱室の形状を固定化することができ、安定状態で使用できる。また、この温熱治療装置の使用に際しては、角筒状加熱室内に手又は足を入れるだけで、その手又は足の患部を集中的に加温できて効率良く温熱治療を施すことができ、また比較的長時間の使用も可能となる。また、加熱室形成ユニットは、４つの加熱壁体を互いにジグザグに折り曲げることによって扁平板状にコンパクトに折り畳むことができ、収納保管及び搬送にきわめて便利となる。また、構造が簡単で、安価に製作できるものである。また、コーナー保持具は、基台部から角筒状ユニットのコーナー部の内隅部に沿うように延びる内隅部支持片と外隅部に沿うように延びる外隅部支持片とを突設し、これら基台部、内外両隅部支持片間に、前記コーナー部に嵌合される嵌合保持部を形成しているので、このコーナー保持具を角筒状ユニットの各コーナー部にユニットの開口側から嵌合させるだけの簡単な作業で、ユニットの加熱壁体相互を直角に保持することができる。また、このコーナー保持具は、形成される加熱室の大きさが異なる種々サイズの角筒状加熱室形成ユニットに使用することができる。
【００３４】
請求項２に係る発明の温熱治療装置は、角筒状加熱室形成ユニットと手足載置用加熱壁体とからなるもので、前記ユニットの加熱壁体相互を折り曲げて角筒状加熱室を形成し、連結手段で両端側の加熱壁体を連結すると共に、コーナー保持具にて前記ユニットの加熱壁体相互を直角に保持し、こうして形成した角筒状加熱室の底部に手足載置用加熱壁体を配置することによって、簡単容易に温熱治療装置を組み立てることができる。そして、角筒状加熱室内に足又は手を入れるだけで、その足や手の患部を集中的に加温できて効率良く温熱治療を施すことができる。また、加熱室形成ユニットは、４つの加熱壁体を互いにジグザグに折り曲げることによって扁平板状にコンパクトに折り畳むことができ、収納保管及び搬送にきわめて便利となる。また、構造が簡単で、安価に製作できる。また、コーナー保持具は、基台部から角筒状ユニットのコーナー部の内隅部に沿うように延びる内隅部支持片と外隅部に沿うように延びる外隅部支持片とを突設し、これら基台部、内外両隅部支持片間に、前記コーナー部に嵌合される嵌合保持部を形成しているので、このコーナー保持具を角筒状ユニットの各コーナー部にユニットの開口側から嵌合させるだけの簡単な作業で、ユニットの加熱壁体相互を直角に保持することができる。また、このコーナー保持具は、形成される加熱室の大きさが異なる種々サイズの角筒状加熱室形成ユニットに使用することができる。
【００３５】
請求項３に係る発明の温熱治療装置によれば、４つの加熱壁体にそれぞれ設けてある面状発熱体が遠赤外線を放射するものからなるため、加熱室の両端が開放していても、この加熱室内に入れた手足を効果的に温めることができ、十分な温熱効果を発揮させることができる。
【００３６】
請求項４に係る発明の温熱治療装置によれば、加熱室形成ユニットの各加熱壁体が、断熱板と、これの内面側に配設される面状発熱体と、この面状発熱体の内面側に配設される補強板と、これらを覆う布材とからなるため、各加熱壁体に十分な強度を持たせることができて、頑強な角筒状加熱室を形成できると共に、面状発熱体から熱を角筒状加熱室の内部に有効に放射させることができる。
【００３７】
請求項５に係る発明の温熱治療装置によれば、手足載置用加熱壁体が、断熱板と、この断熱板の上面側に配設される面状発熱体と、この面状発熱体の上面側に配設される補強板と、これらを内外両面から覆う布材とからなるため、足の載荷荷重にも十分対応できる強度を有すると共に、面状発熱体からの熱を角筒状加熱室の内部に有効に放射させることができる。
【００３８】
請求項６に係る発明の温熱治療装置によれば、加熱室形成ユニットの４つの加熱壁体にそれぞれ設けられる面状発熱体のうち、角筒状加熱室内で対向する２つの面状発熱体は常時通電可能に配線され、他の２つの面状発熱体は開閉スイッチを介して切替え可能に配線されているから、上記２つの面状発熱体のスイッチを閉じれば、４つの加熱壁体の全部から熱を放射でき、また上記２つの面状発熱体のスイッチを開放すれば、対向する前記２つの面状発熱体のある加熱壁体からのみ熱を放射でき、従って熱の放射される４つの加熱壁体を必要に応じて全部使用と半分使用とに簡単容易に使い分けすることができて、便利である。
【図面の簡単な説明】
【図１】  本発明に係る温熱治療装置の使用方法を示す斜視図である。
【図２】  同上の温熱治療装置の平面図である。
【図３】  同上の温熱治療装置の半縦断側面図である。
【図４】  （Ａ）は角筒状加熱室形成ユニットの平面図、（Ｂ）はその正面図である。
【図５】  （Ａ）は角筒状加熱室形成ユニットを形成する加熱壁体の拡大断面図、（Ｂ）は手足載置用加熱壁体の拡大断面図、（Ｃ）は床マットの拡大断面図である。
【図６】  （Ａ）はコーナー保持具の外観斜視図、（Ｂ）は平面図、（Ｃ）は側面図、（Ｄ）は底面図である。
【図７】  角筒状加熱室形成ユニットの加熱壁体の電気回路図である。
【図８】  手足載置用加熱壁体の電気回路図である。
【図９】  角筒状加熱室形成ユニットの加熱壁体の他の実施形態による電気回路図である。
【符号の説明】
１ａ，１ｂ，１ｃ，１ｄ      角筒状加熱室形成ユニットの面状発熱体
２                          角筒状加熱室形成ユニット
Ｋ                          角筒状ユニットのコーナー部
２ａ，２ｂ，２ｃ，２ｄ      角筒状加熱室形成ユニットの加熱壁体
３                          手足載置用加熱壁体の面状発熱体
４                          角筒状加熱室
５                          手足載置用加熱壁体
６                          連結手段
７                          補強板
８                          断熱板
９                          内布材
１０                        外布材
１３                        補強板
１４                        断熱板
１５                        布材
２６                        コーナー保持具
２７                        基台部
２８                        内隅部支持片
２９                        外隅部支持片
３０                        嵌合保持部
【図１】
0004113617.tif 000002
【図２】
0004113617.tif 000003
【図３】
0004113617.tif 000004
【図４】
0004113617.tif 000005
【図５】
0004113617.tif 000006
【図６】
0004113617.tif 000007
【図７】
0004113617.tif 000008
【図８】
0004113617.tif 000009
【図９】
0004113617.tif 000010